(57)【特許請求の範囲】
【請求項１】
表示部と、
前方から見て前記表示部の外側に配置された固定ベースと、
前記固定ベースから片持ち梁状に張り出して前記表示部の前方領域を前記表示部の前面に沿って移動する可動演出部材と、を備えた遊技機において、
前記可動演出部材の移動方向と交差する第１方向に延び、前記可動演出部材に後側から重ねられて前記可動演出部材の後側への移動を規制する規制部材と、
前記第１方向と交差する第２方向に前記規制部材を移動可能に支持する移動支持部と、
前記規制部材を前記第２方向に移動させて、常に前記可動演出部材の後側に配置する移動制御機構と、を備えて、
前記可動演出部材が任意の位置に配置されたときに、前記可動演出部材の前記表示部への接近を前記規制部材にて規制するように構成され、
前記可動演出部材は、少なくとも前記表示部の前記第１方向における一端寄り位置と他端寄り位置との間を移動するように構成され、
前記移動支持部は、前方から見て前記表示部を前記第１方向に挟む部分に対をなして設けられ、
前記規制部材は、１対の前記移動支持部に差し渡されたことを特徴とする遊技機。
【請求項２】
前記移動制御機構は、
前記規制部材に設けられて、前記第１方向に延びた係合溝と、
前記可動演出部材に設けられて、前記係合溝と係合して前記係合溝内を移動する係合突部と、を備えて、
前記可動演出部材の移動に伴って前記規制部材を前記第２方向へ移動させるように構成されたことを特徴とする請求項１に記載の遊技機。
【請求項３】
前記可動演出部材は、前記規制部材の前面に重ねられる本体部と、前記本体部に支持されて前記規制部材の後面に重ねられる後面重ね片と、を備えて、それら本体部と後面重ね片との間に前記規制部材を挟むように構成され、
前記係合溝を、前記規制部材の後面に形成すると共に、
前記係合突部を、前記後面重ね片の前面から突出させたことを特徴とする請求項２に記載の遊技機。
【請求項４】
前記規制部材は、前記第１方向に延びた帯板部と、前記帯板部から側方に張り出した側方張出部と、を備え、
前記帯板部及び前記側方張出部の両方の前面に前記本体部を重ねると共に、前記側方張出部の後面に前記後面重ね片を重ねて、それら本体部と後面重ね片との間で前記側方張出部を挟むように構成したことを特徴とする請求項３に記載の遊技機。
【請求項５】
前記帯板部の前面は、幅方向の両端部が面取りされた形状であることを特徴とする請求項４に記載の遊技機。
【請求項６】
１対の前記移動支持部のうち少なくとも一方の移動支持部は、前記第２方向に延びて前記規制部材を前後方向に挟む１対の対向支持壁を有し、
前記規制部材のうち前記１対の対向支持壁に挟まれる部分の前面と後面とには、前記第２方向に延び且つ前記対向支持壁と当接可能な突条が形成されたことを特徴とする請求項１乃至５のうち何れか１の請求項に記載の遊技機。
【請求項７】
前記規制部材が、無色透明をなしていることを特徴とする請求項１乃至６のうち何れか１の請求項に記載の遊技機。
【発明の詳細な説明】
【技術分野】
【０００１】
本発明は、可動演出部材が表示部の前面に沿って移動する遊技機に関する。
【背景技術】
【０００２】
従来、この種の遊技機として、表示画面の外側に配置された固定ベースに回転可能に支持されて、表示画面の外側に全体が配置される待機位置と、表示画面の前方へ向けて片持ち梁状に張り出す作動位置と、の間を移動する可動演出部材を備えたものが知られている（例えば、特許文献１参照）。
【先行技術文献】
【特許文献】
【０００３】
【特許文献１】特開２０１０−１４２２７７号公報（段落［００６４］、図２及び図３）
【発明の概要】
【発明が解決しようとする課題】
【０００４】
しかしながら、上述した従来の遊技機では、片持ち梁状の可動演出部材が前後に振れ易いため、可動演出部材が表示画面に接触するという問題が生じ得た。
【０００５】
本発明は、上記事情に鑑みてなされたもので、可動演出部材と表示部との接触を抑制可能な遊技機の提供を目的とする。
【課題を解決するための手段】
【０００６】
上記目的を達成するためになされた請求項１の発明は、表示部と、前方から見て前記表示部の外側に配置された固定ベースと、前記固定ベースから片持ち梁状に張り出して前記表示部の前方領域を前記表示部の前面に沿って移動する可動演出部材と、を備えた遊技機において、前記可動演出部材の移動方向と交差する第１方向に延び、前記可動演出部材に後側から重ねられて前記可動演出部材の後側への移動を規制する規制部材と、前記第１方向と交差する第２方向に前記規制部材を移動可能に支持する移動支持部と、前記規制部材を前記第２方向に移動させて、常に前記可動演出部材の後側に配置する移動制御機構と、を備えて、前記可動演出部材が任意の位置に配置されたときに、前記可動演出部材の前記表示部への接近を前記規制部材にて規制するように構成され、前記可動演出部材は、少なくとも前記表示部の前記第１方向における一端寄り位置と他端寄り位置との間を移動するように構成され、前記移動支持部は、前方から見て前記表示部を前記第１方向に挟む部分に対をなして設けられ、前記規制部材は、１対の前記移動支持部に差し渡されたことを特徴とする遊技機である。
【０００７】
請求項２の発明は、前記移動制御機構は、前記規制部材に設けられて、前記第１方向に延びた係合溝と、前記可動演出部材に設けられて、前記係合溝と係合して前記係合溝内を移動する係合突部と、を備えて、前記可動演出部材の移動に伴って前記規制部材を前記第２方向へ移動させるように構成されたことを特徴とする請求項１に記載の遊技機である。
【０００８】
請求項３の発明は、前記可動演出部材は、前記規制部材の前面に重ねられる本体部と、前記本体部に支持されて前記規制部材の後面に重ねられる後面重ね片と、を備えて、それら本体部と後面重ね片との間に前記規制部材を挟むように構成され、前記係合溝を、前記規制部材の後面に形成すると共に、前記係合突部を、前記後面重ね片の前面から突出させたことを特徴とする請求項２に記載の遊技機である。
【０００９】
請求項４の発明は、前記規制部材は、前記第１方向に延びた帯板部と、前記帯板部から側方に張り出した側方張出部と、を備え、前記帯板部及び前記側方張出部の両方の前面に前記本体部を重ねると共に、前記側方張出部の後面に前記後面重ね片を重ねて、それら本体部と後面重ね片との間で前記側方張出部を挟むように構成したことを特徴とする請求項３に記載の遊技機である。
【００１０】
請求項５の発明は、前記帯板部の前面は、幅方向の両端部が面取りされた形状であることを特徴とする請求項４に記載の遊技機である。
【００１２】
請求項６の発明は、１対の前記移動支持部のうち少なくとも一方の移動支持部は、前記第２方向に延びて前記規制部材を前後方向に挟む１対の対向支持壁を有し、前記規制部材のうち前記１対の対向支持壁に挟まれる部分の前面と後面とには、前記第２方向に延び且つ前記対向支持壁と当接可能な突条が形成されたことを特徴とする請求項１乃至５のうち何れか１の請求項に記載の遊技機である。
【００１３】
請求項７の発明は、前記規制部材が、無色透明をなしていることを特徴とする請求項１乃至６のうち何れか１の請求項に記載の遊技機である。
【発明の効果】
【００１４】
［請求項１の発明］
請求項１の発明では、規制部材が、表示部の前方で可動演出部材の移動経路と交差する第１方向に延び、可動演出部材に後側から重ねられて可動演出部材の後側への移動を規制する。この規制部材は、可動演出部材が移動すると、第１方向と交差する第２方向に移動し、常に、可動演出部材の後側に配置される。そして、可動演出部材が任意の位置で表示部への接近を規制される。このように、本発明では、可動演出部材が任意の位置に配置されても、規制部材によって表示部への接近が規制されるので、可動演出部材と表示部との接触を抑制可能となる。また、本発明によれば、規制部材の両端部を移動可能に支持して、規制部材の移動の安定化を図ることが可能となる。
【００１５】
［請求項２の発明］
請求項２の発明では、規制部材の係合溝と可動演出部材の係合突部とが係合することで、可動演出部材の移動に伴って規制部材を移動させることが可能となるので、可動演出部材の位置に応じて規制部材を駆動制御する駆動制御部を設ける場合と比較して、規制部材の位置制御を容易に行うことが可能となる。
【００１６】
［請求項３の発明］
請求項３の発明によれば、可動演出部材の本体部と後面重ね片との間に規制部材が挟まれるので、係合突部が係合溝から外れることを抑制可能となる。
【００１７】
［請求項４の発明］
請求項４の発明によれば、表示部に前側から重ねられる規制部材の係合溝を目立たなくすることが可能となる。
【００１８】
［請求項５の発明］
請求項５の発明では、可動演出部材の後側に重なる帯板部の前面の形状が、幅方向の両端部が面取りされた形状となっているので、帯板部の幅方向で帯板部と可動演出部材の干渉が抑制され、規制部材を第２方向へスムーズに移動させることが可能となる。
【００２０】
［請求項６の発明］
請求項６の発明によれば、１対の移動支持部のうち少なくとも一方の移動支持部を簡易に構成することが可能となる。また、規制部材のうち１対の対向支持壁で挟まれる部分には、第２方向に延びて対向支持壁と当接可能な突条が形成されているので、規制部材と対向支持壁との摩擦抵抗を小さくして、規制部材の移動をスムーズに行うことが可能となる。
【００２１】
［請求項７の発明］
請求項７の発明では、規制部材が無色透明をなしているので、規制部材を通して表示部を視認することが可能となる。
【図面の簡単な説明】
【００２２】
【図１】本発明の一実施形態に係る遊技機の正面図
【図２】遊技盤の正面図
【図３】各種装置を取り付けた状態の機構枠の正面図
【図４】可動部材が退避位置に配置されたときの可動演出役物装置の正面図
【図５】可動部材が演出位置に配置されたときの可動演出役物装置の正面図
【図６】（Ａ）可動部材が退避位置に配置されたときの可動演出役物装置の背面図、（Ｂ）可動部材が演出位置へ向かう途中の可動演出役物装置の背面図
【図７】収縮状態の可動部材の（Ａ）正面図、（Ｂ）Ａ−Ａ断面図
【図８】拡張状態の可動部材の（Ａ）正面図、（Ｂ）Ｂ−Ｂ断面図
【図９】収縮状態の可動部材を模式的に示す図
【図１０】拡張状態の可動部材を模式的に示す図
【図１１】可動演出役物装置及びスライドバーの後方斜視図
【図１２】スライドバーと機構枠の前方斜視図
【図１３】図１２におけるガイド溝周辺の拡大図
【図１４】（Ａ）スライドバーの正面図、（Ｂ）屈曲端部の側面図、（Ｃ）スライドバーのＣ−Ｃ断面図
【図１５】可動部材が退避位置に配置されたときの可動演出役物装置及びスライドバーの背面図
【図１６】可動部材が退避位置に配置されたときの可動演出役物装置及びスライドバーの後方斜視図
【図１７】可動部材が演出位置に配置されたときの可動演出役物装置及びスライドバーの背面図
【図１８】可動部材が退避位置に配置されたときの可動演出役物装置及びスライドバーの後方斜視図
【図１９】（Ａ）図１６における重なり突片周辺の拡大図、（Ｂ）図１８における重なり突片周辺の拡大図
【発明を実施するための形態】
【００２３】
以下、本発明をパチンコ遊技機に適用した一実施形態を、図１〜図１９に基づいて説明する。図１に示すように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。遊技盤１１の後側には、図３に示す機構枠１７が取り付けられ、その機構枠１７には種々の装置が取り付けられている。
【００２４】
図１に示すように、前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１に向けて弾き出される。
【００２５】
図２に示すように、遊技盤１１の前面からは、遊技領域Ｒ１を包囲するガイドレール１２が突出している。ガイドレール１２は、遊技盤１１の外縁部を周回するように配置され、ガイドレール１２の下端部には、下方に膨むように湾曲し、流下する遊技球を受け止めて遊技領域Ｒ１の中央へと案内可能な湾曲ガイド部１２Ｇが備えられている。
【００２６】
遊技盤１１のうち遊技領域Ｒ１の中央には、表示開口１１Ｈが貫通形成されており、その表示開口１１Ｈに遊技盤１１の裏面側から表示装置１３が対向している。表示装置１３は、例えば、液晶モジュールで構成され、その前面が遊技に関する演出を行う表示画面１３Ｇ（本発明の「表示部」に相当する。）となっている。なお、詳細には、表示画面１３Ｇは、機構枠１７（図３参照）の開口部１７Ｋと遊技盤１１の表示開口１１Ｈを通して遊技者に視認可能となっている。
【００２７】
遊技盤１１の前面中央には、表示画面１３Ｇを囲むように表示装飾枠２３が取り付けられている。表示装飾枠２３は、遊技盤１１の前面側から表示開口１１Ｈに嵌め込まれて、表示開口１１Ｈの内側に張り出すと共に、遊技盤１１の前面から突出している。そして、遊技領域Ｒ１を流下する遊技球が、表示装飾枠２３の前側を通過して表示装飾枠２３の内側に進入しないように構成されている。
【００２８】
表示装飾枠２３の右側には、始動ゲート１８が設けられている。また、表示装飾枠２３の右下には、大入賞口１５と複数のサイド入賞口２１が設けられている。なお、複数のサイド入賞口２１は、始動ゲート１８の下方且つ大入賞口１５の右側に配置されている。
【００２９】
表示装飾枠２３の横方向中央の下方には、第１の始動入賞口１４Ａと第２の始動入賞口１４Ｂとが上下２段に並べて配置され、それら始動入賞口１４Ａ，１４Ｂの左側には、ガイドレール１２の湾曲ガイド部１２Ｇに沿って一般入賞口２０が複数設けられている。
【００３０】
遊技領域Ｒ１には、各入賞口１４Ａ，１４Ｂ，１５，２０，２１とは別に、特典（賞球）を付与することなく遊技領域Ｒ１の外側に排出するためのアウト口１６が設けられている。また、遊技領域Ｒ１には、遊技球の流下方向をランダムに変更するための障害釘が多数植設されている。なお、詳細には、本実施形態では、アウト口１６として、遊技領域Ｒ１の下端部中央に配置された中央アウト口１６Ａと、左側一般入賞口２０の左側に配置されたサイドアウト口１６Ｂの２種類が設けられている。
【００３１】
次に、遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入球（入賞）すると、その遊技球は遊技盤１１の裏側に取り込まれ、例えば、１個の入球につき１０個の賞球が上皿２６に払い出される。
【００３２】
始動ゲート１８は、遊技球が潜って通過可能な門形構造をなしている。始動ゲート１８を遊技球が通過すると、普通図柄の当否判定が行われる。
【００３３】
第１の始動入賞口１４Ａは、ポケット構造をなして遊技球が１つずつ入球可能な大きさで上方に開口している。第２の始動入賞口１４Ｂは、遊技球が１つずつ入球可能な大きさで前方に開口し、回動扉１４Ｔによって開閉される。回動扉１４Ｔは、通常は、閉状態となっていて、上述した普通図柄の当否判定が当りになると、開状態となる。第１と第２の始動入賞口１４Ａ，１４Ｂに遊技球が入球（入賞）すると、例えば、１個の入球につき４個の賞球が上皿２６に払い出されると共に、特別図柄の当否判定が行われる。そして、特別図柄の当否判定が当りになると、通常の遊技状態から大当り遊技状態へ移行し、大当り遊技が実行される。
【００３４】
大入賞口１５は、横長矩形状をなし、通常の遊技状態では、可動扉１５Ｔにて閉塞されている。そして、遊技状態が大当り遊技状態となって大当り遊技が実行されると、可動扉１５Ｔが所定期間に亘って前側に倒される。すると、大入賞口１５が前方に開放し、可動扉１５Ｔを案内にして大入賞口１５に多くの遊技球が入賞可能となる。大入賞口１５に遊技球が入賞すると、例えば、１個の入賞につき１５個の遊技球が上皿２６に払い出される。
【００３５】
なお、各入賞口１４Ａ，１４Ｂ，１５，２０，２１及びアウト口１６に取り込まれた遊技球は、球排出ダクト８０（図３参照）を介して遊技機１０の外部に排出され、図示しない球回収装置に回収される。
【００３６】
図３に示すように、本実施形態の遊技機１０は、上述した入賞口１４Ａ，１４Ｂ，１５・・や表示装置１３等のほかに、可動部材２１０の動作により遊技に関する演出を行う可動演出役物装置２１０Ｓを機構枠１７に固定して備えている。この可動部材２１０は、表示画面１３Ｇの外側に配置された退避位置（図４参照）と、表示画面１３Ｇの中央寄り部分の前方に配置される演出位置（図５参照）との間を移動する。以下、可動演出役物装置２１０について詳説する。
【００３７】
可動演出役物装置２１０Ｓは、機構枠１７に固定された固定ベース２１１と、固定ベース２１１に回動可能に支持された基端アーム２１２と、基端アーム２１２に回動可能に支持された先端アーム２１３と、を備え、先端アーム２１３に上述の可動部材２１０が支持されている。
【００３８】
図５及び図１１に示すように、固定ベース２１１は、Ｌ字状をなして機構枠１７の上辺部と左辺部とに重ねて固定されている。固定ベース２１１には、次述する基端アーム２１２を駆動するための駆動源２１１Ｋが備えられている。
【００３９】
基端アーム２１２は、固定ベース２１１の下端部から側方へ片持ち梁状に張り出し、固定ベース２１１の下端部を前後方向に貫通する回転中心軸２１２Ｊを中心に回動する（図６（Ａ）及び図６（Ｂ）参照）。具体的には、基端アーム２１２は、固定ベース２１１から下方に直線状に延びて昇降ガイド部材１３２の後側に重ねられた基端アーム初期位置（図４参照）と、固定ベース２１１の下端部から右斜め下方に延びて表示画面１３Ｇの前方に露出した基端アーム作動位置（図５参照）と、の間を回動する。
【００４０】
先端アーム２１３は、基端アーム２１２の先端部から側方へ片持ち梁状に張り出し、基端アーム２１２の先端部を前後方向に貫通する回転中心軸２１３Ｊを中心に回動する（図６（Ａ）及び図６（Ｂ）参照）。詳細には、先端アーム２１３は、基端アーム２１２が基端アーム初期位置付近に配置されているときにのみ回動する。
【００４１】
なお、先端アーム２１３の回動機構は以下のようになっている。即ち、先端アーム２１３の基端部には、図６（Ａ）に示すように、基端アーム２１２の長手方向に沿って延びた棒状リンク２１４が回動可能に取り付けられていて、この棒状リンク２１４が固定ベース２１１に連結している。棒状リンク２１４は、基端アーム２１２に対して基端アーム２１２の回動半径方向に移動可能となっていて、通常は、基端アーム２１２の回動中心軸２１２Ｊの近傍に配置されている。そして、図６（Ｂ）に示すように、棒状リンク２１４は、基端アーム２１２が基端アーム初期位置から回動すると、固定ベース２１１に備えた棒状リンクガイド部２１４Ｇに案内されて回動中心軸２１２Ｊから離れる側に移動する。棒状リンク２１４が回動中心軸２１２Ｊから離れる側へ移動すると、その移動に伴って先端アーム２１３が基端アーム２１２に対して回動する。
【００４２】
図４に示すように、可動部材２１０は、先端アーム２１３の先端部に回転可能に支持されている。具体的には、図４及び図６（Ａ）に示すように、先端アーム２１３の先端部には、前方から見て円形状をなす円盤部２１３Ａが設けられていて、可動部材２１０は、円盤部２１３Ａに前側から重ねられて円盤部２１３Ａの中心軸２１３Ｃ回りに回転する。
【００４３】
また、図７（Ａ）及び図８（Ａ）に示すように、可動部材２１０は、外形が縮小された収縮状態（図７（Ａ）参照）と、外形が拡大された拡張状態（図８（Ａ）参照）とに変化する。詳細には、可動部材２１０は、先端アーム２１３の円盤部２１３Ａに重ねられるベース盤２２１と、ベース盤２２１の前方に配置された可動演出部２２２と、を備えていて、可動演出部２２２の外形が縮小されたときに収縮状態となり、可動演出部２２２の外形が拡大されたときに拡張状態となる（図７（Ｂ）及び図８（Ｂ）参照）。以下、可動部材２１０の拡縮について説明する。
【００４４】
図９及び図１０には、可動部材２１０の主要部が模式的に示されている。図９に示されるように、可動部材２１０の可動演出部２２２には、ベース盤２２１の中央部に重ねられた中央進退部２２３と、中央進退部２２３の四方を取り囲むように配置された複数の拡縮変形部２３０と、が設けられている。
【００４５】
中央進退部２２３は、ベース盤２２１に対して前後方向（図９及び図１０の上下方向）に移動して、図９に示す前進位置と、図１０に示す後退位置とに配置される。具体的には、ベース盤２２１の中央部には、中央進退部２２３から後方に突出した後方シャフト２２３Ｓを直動可能に支持する直動支持筒２２４が形成されていて、後方シャフト２２３Ｓが駆動されて直動支持筒２２４の直動支持孔２２４Ａ内を前進、後退することで、中央進退部２２３が前後方向に移動するようになっている。なお、図示はしないが、後方シャフト２２３Ｓの駆動源は先端アーム２１３に備えられている。
【００４６】
拡縮変形部２３０は、内側回動部材２３１と外側回動部材２３２とを回動可能に連結した構造になっている。内側回動部材２３１は、直動支持筒２２４の外側でベース盤２２１に回動可能に連結され、その連結部位から直動支持孔２２４Ａの径方向外側に張り出している。そして、内側回動部材２３１は、中央進退部２２３からの動力を受けて回動中心軸２３１Ｊの回りを回動し、ベース盤２２１と略平行になった内側倒伏位置（図１０参照）と、回動中心軸２３１Ｊから離れた側の端部がベース盤２２１から前方に持ち上げられた内側起立位置（図９参照）とに配置される。
【００４７】
ここで、中央進退部２２３から内側回動部材２３１への動力伝達は、内側回動部材２３１と中央進退部２２３の両方に回動可能に連結された中継部材２３５によって行われる。具体的には、中継部材２３５は、中央進退部２２３の外縁部から後側に突出した連結突部２２３Ｔに一端部が連結され、内側回動部材２３１の張出方向における先端部（即ち、回動中心軸２３１Ｊから離れた側の端部）に他端部が連結されている。そして、中央進退部２２３が前進位置に配置されると、中継部材２３５は、中央進退部２２３の後側に位置して内側回動部材２３１の張出方向の先端部を中央進退部２２３側に引き寄せ、内側回動部材２３１を起立させる（図９参照）。一方、中央進退部２２３が後端位置に配置されると、中継部材２３５は、中央進退部２２３から側方に突出し、内側回動部材２３１の張出方向の先端部を直動支持孔２２４Ａの径方向外側に押して、内側回動部材２３１を倒伏させる（図１０参照）。
【００４８】
図９に示すように、外側回動部材２３２は、内側回動部材２３１の張出方向における先端部（即ち、内側回動部材２３１における回動中心２３１Ｊから離れた側の端部）に回動可能に連結され、その連結部位から直動支持孔２２４の径方向外側に張り出している。なお、本実施形態では、内側回動部材２３１における外側回動部材２３２との連結部位は、上述の中継部材２３５との連結部位よりも先端側に配置されている。
【００４９】
図９及び図１０に示すように、外側回動部材２３２は、内側回動部材２３１の回動に伴って回動中心軸２３２Ｊの回りを回動する。そして、内側回動部材２３１が内側倒伏位置に配置されたときに、外側回動部材２３２は、ベース盤２２１と略平行になった外側倒伏位置に配置され（図１０参照）、内側回動部材２３１が内側起立位置に配置されたときに、外側回動部材２３２は、内側回動部材２３１との連結部位がベース盤２２１に対して前方に持ち上げられた外側起立位置に配置される（図９参照）。そして、内側回動部材２３１と外側回動部材２３２が内側倒伏位置と外側倒伏位置に配置されたときに、拡縮変形部２３０は、ベース盤２２１と略平行になって中央進退部２２３から側方に張り出す拡張姿勢となり、可動演出部２２２の外形が拡大される（図８（Ａ）参照）。また、内側回動部材２３１と外側回動部材２３２が内側起立位置と外側起立位置に配置されたときに、拡縮変形部２３０は、張出方向（直動支持孔２２４の径方向）の中間部が前側へ突出するように山状に折れ曲がって中央進退部２２３側へ引き寄せられた収縮姿勢となり、可動演出部２２２の外形が縮小される（図７（Ａ）参照）。
【００５０】
ここで、本実施形態では、外側回動部材２３２の張出方向の先端部は、直動ガイド２２５によって、ベース盤２２１に沿って直動支持孔２２４の径方向に案内されるようになっていて、これにより、外側回動部材２３２の回動の安定化が図られている。直動ガイド２２５は、ベース盤２２１に形成され、直動支持筒２２４から直動支持孔２２４の径方向外側に延びたガイド溝２２６と、ガイド溝２２６に沿って直動するスライダ２２７と、を備えていて、このスライダ２２７に、外側回動部材２３２の先端部が回動可能に連結されている。
【００５１】
可動部材２１０の拡縮に関する説明は以上である。このように、可動演出役物装置２１０Ｓは、可動部材２１０を、図４に示す退避位置と図５に示す演出位置との間で移動させると共に、可動部材２１０を先端アーム２１３に対して回転させ、さらに、可動部材２１０を、外形が拡大した拡張状態と外形が縮小した収縮状態とに変化させることが可能となっている。
【００５２】
ところで、本実施形態の遊技機１０では、基端アーム２１２及び先端アーム２１３が片持ちになっていて、その先端アーム２１３の先端部に支持された可動部材２１０が回転又は拡縮変形するので、可動演出役物装置２１０Ｓのうち基端アーム２１２、先端アーム２１３及び可動部材２１０で構成される可動演出部２１０Ｋが振動し易くなっている。このため、遊技機１０では、可動演出部２１０Ｋが表示画面１３Ｇと接触するという問題が生じ得る。この問題を解決すべく、遊技機１０では、図１１に示すように、可動演出部２１０Ｋの後側への移動を規制するスライドバー２５０が設けられている。以下、スライドバー２５０について説明する。
【００５３】
スライドバー２５０は、無色透明をなして上下方向に直線状に延在し、スライドバー２５０の下端部には、横方向に延びた可動側レール２６１が固定されている。可動側レール２６１は、図１２に示すように、機構枠１７の下辺部に取り付けられた固定側レール２６２と係合してスライドレール機構２６０を構成し、固定側レール２６２に対して横方向に移動する。これにより、スライドバー２５０は、左右方向に直動可能となっている。
【００５４】
また、図１１及び図１３に示すように、スライドバー２５０の上端部には、上端が後側に配置されるように折れ曲がった屈曲端部２５２が設けられている。図１３に示すように、屈曲端部２５２は、固定ベース２１１の上辺部２１１Ｊと機構枠１７との間に形成されたガイド溝２５２Ｍにより左右方向に直動可能となっている。
【００５５】
なお、詳細には、ガイド溝２５２Ｍは以下のようにして形成されている。即ち、図１１に示すように、固定ベース２１１の上辺部２１１Ｊにおける下縁部後面には、左右方向に延びた受容凹部２１１ＪＡが形成されている。また、図１２に示すように、機構枠１７は、枠状プレート１７Ａの外周部から包囲壁１７Ｈが起立した構造になっていて、枠状プレート１７Ａの上辺部と左辺部とに固定ベース２１１の上辺部２１１Ｊと左辺部２１１Ｌとが前側から重ねた固定される構成となっている。そして、固定ベース２１１の上辺部２１１Ｊに形成された受容凹部２１１ＪＡが枠状プレート１７Ａにて後側から閉塞されることで、ガイド溝２５２Ｍが形成されている。このように、本実施形態では、固定ベース２１１を機構枠１７に取り付けるだけでガイド溝２５２Ｍが形成されるので（図１２及び図１３参照）、スライドバー２５０の直動支持機構を簡易に構成することが可能となる。なお、本実施形態では、固定ベース２１１の上辺部２１１Ｊと枠状プレート１７Ａとによって、本発明に係る１対の対向支持壁２５３，２５３が構成されている。
【００５６】
図１４（Ａ）に示すように、スライドバー２５０は、上下方向（図１４（Ａ）では左右方向）に延びた帯板部２５１と、帯板部２５１の下側部分から側方に張り出した張出片２５５と、で構成され、帯板部２５１の上端部が上述の屈曲端部２５２となっている。
【００５７】
図１４（Ａ）及び図１４（Ｂ）に示すように、屈曲端部２５２の前面と後面とには、帯板部２５１の幅方向に延びた突条２５２Ｔ，２５２Ｔが形成されている。突条２５２Ｔ，２５２Ｔは、ガイド溝（図１３参照）を構成する対向支持壁２５３，２５３と前後方向で当接可能となっている。本構成によれば、スライドバー２５０と対向支持壁２５３との摩擦抵抗を小さくして、スライドバー２５０の移動をスムーズに行うことが可能となる。
【００５８】
図１４（Ｃ）に示すように、帯板部２５１の前面は、幅方向の両端が面取りされた形状となっている。詳細には、帯板部２５１の前面は、前方に膨出した円弧面の一側部が角面取りされた形状となっている。なお、張出片２５５は、円弧面の頂点部よりも後側に配置されている。
【００５９】
図１４（Ａ）及び図１４（Ｃ）に示すように、スライドバー２５０には、スライドバー２５０の長手方向に延びた係合溝２５６が形成されている。係合溝２５６は、張出片２５５の後面に形成されて、後側に開放している。詳細には、張出片２５５は、帯板部２５１より幅狭な帯状片２５５Ａと、帯状片２５５Ａの下端部から側方に先細り状に突出した三角突片２５５Ｂと、で構成され、係合溝２５６は、帯状片２５５Ａの全体に亘って形成されている。即ち、本実施形態では、係合溝２５６は、スライドバー２５０−の下側部分に配置されている。なお、図１９（Ａ）に示すように、張出片２５５の下縁部には、後方に突出し且つ帯板部２５１に連絡する補強リブ２５５Ｈが備えられている。
【００６０】
図１６及び図１９（Ａ）に示すように、スライドバー２５０の張出片２５５は、可動演出部２１０Ｋにおける先端アーム２１３の基端部の後側に重ねられる。また、基端アーム２１２の先端部からはスライドバー２５０の後面に重ねられる後面重ね片２７２が張り出している。そして、スライドバー２５０は、先端アーム２１３と後面重ね片２７２とに前後方向で挟まれる。
【００６１】
図１９（Ａ）に示すように、後面重ね片２７２は、張出片２５５の帯状片２５５Ａに重ねられ、後面重ね片２７２から前方に突出した係合突部２７３が係合溝２５６に受容される。図１６、図１８、図１９（Ａ）及び図１９（Ｂ）に示すように、係合突部２７３は、基端アーム２１２の回動に伴って係合溝２５６内を移動する。
【００６２】
図１５〜図１８には、可動部材２１０が退避位置から演出位置へ移動したときの可動演出部２１０Ｋ（即ち、基端アーム２１２、先端アーム２１３及び可動部材２１０）とスライドバー２５０との関係が示されている。図１５には、可動部材２１０が退避位置に配置された状態では、基端アーム２１２が固定ベース２１１の左辺部２１１Ｌから略鉛直下方に延び、スライドバー２５０が固定ベース２１１の左辺部２１１Ｌの右側（図１５では、左側）に近接配置されている。この状態で、可動演出部２１０Ｋの係合突部２７３は、スライドバー２５０の係合溝２５６の下端部に配置されている（図１６参照）。
【００６３】
図１５から図１７への変化に示すように、基端アーム２１２が回転中心軸２１２Ｊ回りに回動して可動部材２１０が演出位置へと移動すると、基端アーム２１２の先端部は、固定ベース２１１の左辺部２１１Ｌに対して右斜め下方（図１７では、左斜め下方）に配置される。このとき、図１６から図１８への変化に示すように、係合突部２７２が係合溝２５６内を上方に移動しながらスライドバー２５０を右側に押し、スライドバー２５０が右側へ移動する。その結果、スライドバー２５０は、可動部材２１０の移動に伴って左右方向に移動し、常に、先端ベース２１３の後側に配置される。
【００６４】
ここで、本実施形態では、スライドバー２５０が先端アーム２１３と後面重ね片２７２との間に挟まれるので、係合突部２７３が係合溝２５６から外れることを抑制可能となる。しかも、係合溝２５６をスライドバー２５０の後面に形成したので、係合溝２５６を目立たなくすることが可能となる。また、スライドバー２５０の帯板部２５１の前面の形状は、幅方向の両端部が面取りされた形状となっているので、スライドバー２５０が先端アーム２１３に対して左右方向に相対移動しても、帯板部２５１と可動演出部２１０Ｋの干渉が抑制され、スライドバー２５０をに移動させることが可能となる。
【００６５】
スライドバー２５０に関する説明は以上である。なお、本実施形態では、可動演出部２１０Ｋが本発明の「可動演出部材」に、スライドバー２５０が本発明の「規制部材」に、先端アーム２１３が本発明の「本体部」に、それぞれ相当する。また、スライドレール機構２６０（図１２参照）とガイド溝２５２Ｍ（図１３参照）とが、それぞれ本発明の「移動支持部」に相当する。
【００６６】
本実施形態の遊技機１０の構成に関する説明は以上である。次に、遊技機１０の作用効果について説明する。
【００６７】
本実施形態の遊技機１０では、可動演出役物装置２１０Ｓの可動演出部２１０Ｋにおける可動部材２１０が、表示画面１３Ｇの前面に沿って図４に示す退避位置と図５に示す演出位置との間を移動する。具体的には、固定ベース２１１から片持ち梁状に張り出した基端アーム２１２が回動すると共に、基端アーム２１２の先端部に片持ち状に支持された先端アーム２１３も回動して、先端アーム２１３の先端部に支持された可動部材２１０が移動する。可動部材２１０は、演出内容に応じて先端アーム２１３に対して回動したり拡縮変形する。このように、本実施形態では、可動演出部２１０Ｋの基端アーム２１２及び先端アーム２１３は片持ちになっていて、その先端アーム２１３の先端部に支持された可動部材２１０が回転又は拡縮変形するので、可動演出部２１０Ｋが振動し易くなっている。  
【００６８】
ここで、本実施形態の遊技機１０では、無色透明なスライドバー２５０が可動演出部２１０Ｋ（詳細には、先端アーム２１３）に後側から重ねられることで、表示画面１３Ｇの表示を視認可能にしつつ、可動演出部２１０Ｋが表示画面１３Ｇ側へ移動することを規制する（図１１参照）。このスライドバー２５０は、可動部材２１０が移動すると、常に、可動演出部２１０Ｋ（先端アーム２１３）の後側に配置される。
【００６９】
このように、遊技機１０では、可動部材２１０が任意の位置に配置されても、スライドバー２５０によって表示画面１３Ｇへの接近が規制される。これにより、遊技機１０では、可動演出部２１０Ｋと表示画面１３Ｇとの接触を抑制可能となる
【００７０】
また、本実施形態では、スライドバー２５０の係合溝２５６と可動演出部２１０Ｋの係合突部２７３とが係合する（図１９（Ａ）参照）ことで、可動部材２１０の移動に伴ってスライドバー２５０を左右方向に移動させることが可能となるので、可動演出部２１０の位置に応じてスライドバー２５０を駆動制御する駆動制御部を設ける場合と比較して、スライドバー２５０の位置制御を容易に行うことが可能となる。
【００７１】
さらに、本実施形態では、スライドバー２５０の上下の両端部がスライドレール機構２６０とガイド溝２５２Ｍとに直動可能に支持されているので（図１２参照）、スライドバー２５０の直動の安定化を図ることが可能となる。
【００７２】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００７３】
（１）上記実施形態において、係合溝２５６と係合突部２７３を備える代わりに、スライドバー２５０を直動させる駆動源を備えて、スライドバー２５０の移動を可動部材２１０の移動に同期させてもよい。
【００７４】
（２）上記（１）の構成において、スライドバー２５０が張出片２５５を備えず、基端アーム２１２が後面重ね片２７２を備えない構成としてもよい。なお、上記（１）の構成では、スライドバー２５０が先端アーム２１３と後面重ね片２７２とに挟まれるので、スライドバー２５０の前後方向のがたつきを抑えて、スライドバー２５０の移動の安定化が図られる。
【００７５】
（３）上記実施形態において、係合溝２５６をスライドバー２５０の前面に形成し、可動演出部２１０Ｋの後面から係合突部２７３を突出させた構成としてもよい。この場合、後面重ね片２７２を備えてもよいし、備えなくてもよい。前者の構成によれば、スライドバー２５０の前後方向のがたつきを抑えて、スライドバー２５０の移動の安定化が図られる。また、係合溝２５６から係合突部２７３が外れることを抑制可能となる。
【００７６】
（４）上記実施形態では、スライドバー２５０が左右方向に移動する構成であったが、スライドバー２５０は、可動演出部２１０Ｋ（特に、可動演出部２１０Ｋの先端部、即ち、可動部材２１０）の移動方向と交差する方向に移動すればよく、例えば、可動演出部２１０Ｋが左右方向に移動する場合には、上下方向に移動する構成であってもよい。
【００７７】
（５）上記実施形態では、本発明に係る「規制部材」が、直線状であったが、前方視略円形状や前方視略多角形状（例えば、三角形状や四角形状）であってもよい。
【符号の説明】
【００７８】
１０    遊技機
１１    遊技盤
１３Ｇ    表示画面（表示部）
２１０Ｓ    可動演出役物装置
２１０Ｋ    可動演出部（可動演出部材）
２５０    スライドバー（規制部材）
２５２Ｍ    ガイド溝（移動支持部）
２５６    係合溝
２６０    スライドレール機構（移動支持部）
２７３    係合突部
【要約】      （修正有）【課題】可動演出部材と表示部との接触を抑制可能な遊技機を提供する。【解決手段】遊技機では、可動演出部２１０Ｋが、表示画面の外側に配置された固定ベース２１１から片持ち梁状に張り出して表示画面の前方を上下に横切るように移動し、スライドバー２５０によって後側への移動が規制される。スライドバー２５０は、無色透明をなして上下方向に延び、スライドレール及びガイド溝によって左右方向に直動可能に支持される。スライドレール２５０には、可動演出部２１０Ｋに形成された係合突部と係合する係合溝２５６が設けられていて、係合突部と係合溝２５６の係合により、スライドレール２５０が常に可動演出部２１０Ｋの後側に配置される。【選択図】図１７【図１】
0006043911.tif 000002
【図２】
0006043911.tif 000003
【図３】
0006043911.tif 000004
【図４】
0006043911.tif 000005
【図５】
0006043911.tif 000006
【図６】
0006043911.tif 000007
【図７】
0006043911.tif 000008
【図８】
0006043911.tif 000009
【図９】
0006043911.tif 000010
【図１０】
0006043911.tif 000011
【図１１】
0006043911.tif 000012
【図１２】
0006043911.tif 000013
【図１３】
0006043911.tif 000014
【図１４】
0006043911.tif 000015
【図１５】
0006043911.tif 000016
【図１６】
0006043911.tif 000017
【図１７】
0006043911.tif 000018
【図１８】
0006043911.tif 000019
【図１９】
0006043911.tif 000020